(57)【特許請求の範囲】
【請求項１】
四角形枠状に形成された枠体内に障子を開閉可能に納め、前記枠体の吊元側の縦枠と前記障子の吊元側の縦框とが丁番によって連結された建具であって、
前記吊元側の縦枠と前記吊元側の縦框との間に設けられる弾性部材からなる第１気密部材と、
前記吊元側の縦枠と前記吊元側の縦框との間の隙間のうち前記第１気密部材よりも屋内側に設けられる弾性部材からなる第２気密部材と、
を備え、
前記吊元側の縦枠は、屋内側から見て前記吊元側の縦框における屋内側端面の少なくとも一部を覆うように見付け方向の内側に向けて突出する戸当り板を備え、
前記第２気密部材は、前記戸当り板と前記縦框との間に設けられ、
前記縦框は、前記第２気密部材に対して見込み方向に対向する部分に設けられる押縁と、該押縁よりも吊元側に設けられる金属製の金属縦框と、を備え、
前記押縁は、少なくとも屋内側の面が樹脂製に形成され、
前記金属縦框は、樹脂製の前記戸当り板と前記押縁の樹脂部によって屋内側から覆い被せられていることを特徴とする建具。
【請求項２】
前記第１気密部材は、戸先側に向けて突出し、
前記第２気密部材は、前記戸当り板から屋外側に向けて突出していることを特徴とする請求項１に記載の建具。
【請求項３】
前記吊元側の縦枠と前記吊元側の縦框との間において、前記第１気密部材と前記第２気密部材との間には断熱空間が形成されていることを特徴とする請求項１又は２に記載の建具。
【請求項４】
前記押縁の樹脂部分は、金属製の縦框本体に樹脂カバーを装着することにより形成されていることを特徴とする請求項１乃至３のいずれか１項に記載の建具。
【発明の詳細な説明】
【技術分野】
【０００１】
本発明は、構造物の開口部に設けられる建具に関する。
【背景技術】
【０００２】
従来、四角形枠状に形成された枠体内に障子を開閉可能に納めた建具として、例えば特許文献１に示すような枠体の吊元側の縦枠と障子の吊元側の縦框とが丁番によって連結されたドアが知られている。
【０００３】
特許文献１には、ドアの丁番側縦枠材に形成される戸当たりと、これに対向するドア板面との間、及びドアの丁番側端面とドア枠のこれに対向する内側面との間に形成されるＬ字形の隙間を形成し、そのＬ字形の隙間を塞ぐＬ字形の弾性収縮する気密材を設けた構成について記載されている。この場合には、ドアの吊元側端部とドア枠との間の領域全体（Ｌ字形の隙間領域）に弾性を有する気密材が設けられているので、気密性が高められた構成となっている。
【先行技術文献】
【特許文献】
【０００４】
【特許文献１】特開平１０−１２１８３８号公報
【発明の概要】
【発明が解決しようとする課題】
【０００５】
しかしながら、上述した従来のドアでは、以下のような問題があった。
すなわち、従来では、一般的にドアに用いられる気密材が当接する箇所の材質としてアルミ合金等の金属部材とすることが気密性を確保するうえで好ましいとされている。そして、特許文献１に記載のような気密材がＬ字形の隙間全体にわたって設けられる場合には、このＬ字形の気密材が当接する丁番側縦枠材の戸当たりに対向するドア板面も金属部材から構成される。つまり、特許文献１のＬ字形の気密材の場合には、気密性は向上されるものの、屋内に露出するドア板面が断熱性能の低い金属部材となる。そのため、屋内に露出する部分は断熱性の高い樹脂材料を用いることが求められることから、その点で改善の余地があった。
【０００６】
本発明は、上述する問題点に鑑みてなされたもので、断熱性を維持しつつ、気密性を向上させることができる建具を提供することを目的とする。
【課題を解決するための手段】
【０００７】
上記目的を達成するため、本発明に係る建具は、四角形枠状に形成された枠体内に障子を開閉可能に納め、前記枠体の吊元側の縦枠と前記障子の吊元側の縦框とが丁番によって連結された建具であって、前記吊元側の縦枠と前記吊元側の縦框との間に設けられる弾性部材からなる第１気密部材と、前記吊元側の縦枠と前記吊元側の縦框との間の隙間のうち前記第１気密部材よりも屋内側に設けられる弾性部材からなる第２気密部材と、を備え、前記吊元側の縦枠は、屋内側から見て前記吊元側の縦框における屋内側端面の少なくとも一部を覆うように見付け方向の内側に向けて突出する戸当り板を備え、前記第２気密部材は、前記戸当り板と前記縦框との間に設けられ、前記縦框は、前記第２気密部材に対して見込み方向に対向する部分に設けられる押縁と、該押縁よりも吊元側に設けられる金属製の金属縦框と、を備え、前記押縁は、少なくとも屋内側の面が樹脂製に形成され、前記金属縦框は、樹脂製の前記戸当り板と前記押縁の樹脂部によって屋内側から覆い被せられていることを特徴としている。
【０００８】
本発明では、第１気密部材によって屋外と屋内とを気密な状態で隔離する気密ラインを構成することができる。そして、本発明の建具では、第１気密部材によって吊元側の気密性を確保することができるので、第２気密部材に気密性をもたせる必要がない。そのため、第２気密部材に対向する部分で、かつ屋内に露出する部分となる吊元側の縦框における屋内側端面を樹脂部材により形成して断熱ラインを構成することができるから、断熱性能を向上させることができる。
また、本発明に係る建具では、金属縦框が樹脂製の戸当り板と押縁の樹脂部分によって屋内側から覆い被せられた状態で設けられ、しかも第２気密部材が位置する戸当り板と押縁との双方が樹脂製の部材からなることから、断熱性能を確保することができる。
【０００９】
また、本発明に係る建具は、前記第１気密部材は、戸先側に向けて突出し、前記第２気密部材は、前記戸当り板から屋外側に向けて突出していることが好ましい。
【００１０】
この場合には、第１気密部材によって見込み方向の通気を遮断し、第２気密部材によって見付け方向への通気を抑制することができる。つまり、障子の縦框の異なる面に対してそれぞれ通気部材を設ける構成となるので、第１気密部材が当接する縦框をアルミ合金等の金属部材とし、第２気密部材に対向する縦框の屋内側端面を樹脂部材として形成し易くなる。
【００１１】
また、本発明に係る建具は、前記吊元側の縦枠と前記吊元側の縦框との間において、前記第１気密部材と前記第２気密部材との間には断熱空間が形成されていることが好ましい。
【００１２】
この場合には、第１気密部材によって屋外と、吊元側の縦框の屋内側端面と戸当り板との間に形成される断熱空間と、を気密な状態で隔離する気密ラインを構成することができる。さらに、第１気密部材と第２気密部材とによって区画された前記断熱空間が屋外と隔離された空気層を形成することができ、断熱性能を向上させることができる。
【００１３】
また、本発明に係る建具では、第２気密部材によってこれより奥側に位置する前記断熱空間が屋内側に露出せずに屋内側から見て隠れた状態となることから、意匠性を向上させることができる。しかも、障子が開いている際でも、屋内側から縦框の屋内側端面と戸当り板との間の断熱空間の隙間が第２気密部材によって見え難くなっているので、吊元側の縦框の屋内側端面と戸当り板との間に指等を進入させにくくなる。
さらに、障子の開閉時に吊元側の縦框の屋内側端面と戸当り板との間に指が進入した場合でも、第２気密部材が弾性変形することにより指詰めを防止することができる。このとき、第２気密部材の奥側に断熱空間が形成されているので、吊元側の縦框の屋内側端面と弾性変形した第２気密部材との間に指が進入した状態であっても、指をその断熱空間に逃がすことができる。そのため、戸当り板との間で指が圧迫された状態で挟まれることを防止でき、挟まれた状態における指の圧迫感を低減することができる。
【００１６】
また、本発明に係る建具は、前記押縁の樹脂部分は、金属製の縦框本体に樹脂カバーを装着することにより形成されていることが好ましい。
【００１７】
本発明では、吊元側の金属製の縦框本体における第２気密部材に対向する部分に例えば樹脂カバーを取り付けることで押縁の樹脂部分を設けることができる。
この場合には、縦框の見付け寸法が小さい場合であっても、金属製の縦框本体によって障子を支持する十分な強度が確保することができ、しかも第２気密部材が樹脂製の戸当り板と押縁の樹脂部分に挟まれた位置に設けられるので、前記断熱空間も確保できる。
【発明の効果】
【００１８】
本発明の建具によれば、断熱性を維持しつつ、気密性を向上させることができる効果を奏する。
【図面の簡単な説明】
【００１９】
【図１】本発明の実施の形態による框ドアを屋内側から見た正面図である。
【図２】図１に示す框ドアの縦断面図であって、図３に示すＡ−Ａ線断面図である。
【図３】図１に示す框ドアの水平断面図である。
【図４】図３に示す框ドアの吊元側の詳細構成を示す要部水平断面図である。
【図５】框ドアの障子を開いた状態を示す水平断面図であって、図３に対応する図である。
【発明を実施するための形態】
【００２０】
以下、本発明の実施の形態による建具について、図面を参照しながら説明する。
【００２１】
図１に示す本実施の形態による建具として、建築物の開口部に設けられる框ドア１を一例として以下に説明する。
図１は、実施の形態による框ドア１を屋内側から見た正面図である。図２は、框ドア１の縦断面図、図３は框ドア１の水平断面図である。
【００２２】
図１に示すように、本実施の形態による框ドア１は、建物の躯体Ｋに形成された開口部Ｗに設置された枠体２と、枠体２内に納められていて開閉可能な障子３と、を備えている。この框ドア１の障子３は、スイング式ドアであり、例えば勝手口ドア等として用いられる複合建具である。
【００２３】
框ドア１の枠体２は、上枠５、下枠６、及び左右の縦枠７、８で四角形枠状に形成されている。枠体２内の扉部をなす障子３は、上框１０、下框１１、及び左右の縦框１２、１３で四角形枠状に形成された框体１４を備えている。框体１４の内部には、１または複数層のガラスパネル１５が納められている。
【００２４】
なお、以下の説明において、枠体２に対して障子３が閉じた状態でガラスパネル１５の上下方向Ｙに直交し、かつガラスパネル１５のガラス面に沿う方向を見付け方向Ｘという。この見付け方向Ｘのうちガラスパネル１５の中心に向かう方向を見付け方向Ｘの内側とし、反対方向を見付け方向Ｘの外側と称する。また、ガラスパネル１５の厚み方向を見込み方向Ｚと称する。
【００２５】
図２において、枠体２の上枠５は屋外側の金属上枠５１と屋内側の樹脂製の樹脂上枠５２とにより構成され、下枠６は屋外側の金属下枠６１と屋内側の樹脂下枠６２とで構成されている。また、左右の縦枠７，８は、屋外側の金属縦枠７１，８１と、屋内側の樹脂縦枠７２、８２と、でそれぞれ構成されている。金属上枠５１、金属下枠６１、及び金属縦枠７１、８１は、それぞれアルミ合金等の金属部材により形成されている。樹脂上枠５２、樹脂下枠６２、及び樹脂縦枠７２、８２は、それぞれ樹脂製の材料により形成されている。
【００２６】
下枠６は、金属下枠６１の上部に樹脂下枠６２が接続されている。金属下枠６１には排水路６３が見付け方向Ｘに沿って延在しており、樹脂下枠６２には上下方向に貫通するとともに、排水路６３に連通するキャップ６５を備えた排水孔が設けられている。この排水路６３は、屋外に通じており、排水路６３に溜まった結露水等が屋外に排出されるようになっている。
【００２７】
図３に示すように、吊元側（図３で紙面左側）に位置する縦枠７の金属縦枠７１は、屋外側に障子３を開閉自在に固定する支持枠部７３と、支持枠部７３から見込み方向Ｚで屋内側に連結部７６を介して配置され、かつ躯体Ｋから見付け方向Ｘの内側に向けて延びる金属フランジ７４と、を備えている。
連結部７６のガラスパネル１５側の縦框固定面７６ａには、上下方向Ｙに延在する第１気密部材４１が設けられている。第１気密部材４１は、ゴム製の弾性部材から形成され、見付け方向Ｘの内側に向けて突出した状態で設けられ、その突出端４１ａが障子３が閉じた状態において障子３の吊元側の端面（後述する縦框１２の吊元側突出端面１２１ｂ）に面接触により当接している。
【００２８】
縦枠７の樹脂縦枠７２は、金属縦枠７１の屋内側に接続し、屋内側で躯体Ｋに固定されている。さらに、樹脂縦枠７２は、金属縦枠７１の金属フランジ７４の突出端に対して同一面上に連設し、見付け方向Ｘに沿って延在するとともに、縦框１２から見込み方向Ｚに間隔をあけて配置された樹脂フランジ７５（戸当り板）を備えている。つまり、吊元側の縦枠７の金属フランジ７４及び樹脂フランジ７５は、屋内側から見て吊元側の縦框１２における屋内側端面１２２ａ（後述）の少なくとも一部を覆うように見付け方向Ｘの内側に向けて突出している。
樹脂フランジ７５には、上下方向Ｙに延在する第２気密部材４２が設けられている。第２気密部材４２は、ゴム製の弾性部材から形成され、屋外側に向けて突出した状態で設けられ、障子３が閉じた状態において障子３の吊元側の縦框１２（後述する樹脂縦框１２２の屋内側端面１２２ａ）から僅かに離間している。
【００２９】
一方で戸先側に位置する縦枠８の金属縦枠８１は、屋外側において障子３を係止可能な係止枠部８３と、係止枠部８３の屋内側に間隔をあけて配置され、躯体Ｋから見付け方向Ｘの内側に向けて延びる金属フランジ８４と、を備えている。
金属フランジ８４における屋外側の部分には、上下方向Ｙに延在する第３気密部材４３が設けられている。第３気密部材４３は、ゴム製の弾性部材から形成され、屋外側に向けて突出した状態で設けられ、その突出端４３ａが障子３が閉じた状態において障子３の戸先側の縦框１３（後述する樹脂縦框１３２）に当接している。
縦枠８の樹脂縦枠８２は、金属縦枠８１の屋内側に接続し、屋内側で躯体Ｋに固定されている。
【００３０】
障子３は、図２に示すように、上框１０は屋外側の金属上框１０１と屋内側の樹脂上框１０２とで構成され、下框１１は屋外側の金属下框１１１と屋内側の樹脂下框１１２とで構成されている。また、図３に示すように、左右の縦框１２，１３は、屋外側の金属縦框１２１，１３１と、屋内側の樹脂縦框１２２，１３３と、でそれぞれ構成されている。障子３の框体１４の内部に納められたガラスパネル１５は、例えば２層パネルで構成されている。なお、吊元側の樹脂縦框１２２は、本発明の押縁に相当する。
【００３１】
図２に示す上框１０は、ガラスパネル１５の上端部を収容するように、金属上框１０１と樹脂上框１０２によって断面略Ｕ字状となるパネル受け溝１０ａが形成されている。ガラスパネル１５は、パネル受け溝１０ａに設けたシリコンゴム等のシール部材１６、或いは接着剤等によって強固に固定されている。同様にガラスパネル１５は、下框１１、左右の縦框１２，１３にそれぞれ形成されたパネル受け溝１１ａ、１２ａ、１３ａとシール部材１６によって強固に固定されている。
【００３２】
図２及び図３に示すように、框ドア１の例えば上框１０及び下框１１と吊元側（図３で紙面左側）の縦框１２は、屋内側において上枠５の樹脂上枠５２、下枠６の樹脂下枠６２、そして吊元側の縦枠７の樹脂縦枠７２にそれぞれ隠れた隠し框構造を有している。そのため、上框１０、下框１１、吊元側の縦框１２の見付け方向Ｘの幅が戸先側の縦框１３の幅より小さく形成されている。これら上框１０、下框１１、縦框１２では、ガラスパネル１５の呑込み量が例えば１５ｍｍと大きくても、シール部材１６によってガラスパネル１５と一体に形成したため框体１４を強固に固定できる。そのため、障子３が強風等を受けた場合にも框体１４が歪むことをガラスパネル１５で防止できる。
【００３３】
また、図３及び図４において、吊元側の縦枠７と障子３の縦框１２との間には、丁番２０が上下方向Ｙに所定間隔で複数固定されている。丁番２０は、軸部２３の一方の第１取付板２１が金属縦枠７１の支持枠部７３にボルト２４で固定され、他方の第２取付板２２が金属縦框１２１の吊元側取付面１２１ａにボルト２５で固定されている。障子３の閉鎖状態で丁番２０を取り付けた吊元側の支持枠部７３の取付け面と障子３の金属縦框１２１とは、互いに見込み方向Ｚに沿って平行に設けられている。
【００３４】
また、第２取付板２２が固定される金属縦框１２１の吊元側取付面１２１ａよりも屋内側には、吊元側取付面１２１ａよりも見付け方向Ｘの外側に張り出した突出部１２１ｃが形成され、この突出部１２１ｃの突出端をなす吊元側突出端面１２１ｂに金属縦枠７１の連結部７６に固定された第１気密部材４１が当接している。
そして、吊元側の縦框１２の樹脂縦框１２２における屋内側端面１２２ａと、縦枠７の金属フランジ７４及び樹脂フランジ７５との間には、第１気密部材４１、第２気密部材４２によって囲まれた断熱空間Ｓ１が形成されている。また、障子３が閉じた状態において、金属縦枠７１と、金属縦框１２１と、第１気密部材４１との間には第２隙間Ｓ２が形成されている。
このように金属縦框１２１は、樹脂製の樹脂フランジ７５と樹脂縦框１２２によって屋内側から覆い被せられ例えば状態になっている。
【００３５】
また、障子３において、図３及び図５に示すように、戸先側の縦框１３にはその高さ方向中央部の両面にハンドル２６が取り付けられている。ハンドル２６を回転操作することでグレモン錠の上下両側で図示しないロッドを上下方向に動作させて図２に示す上枠５と下枠６に進退させてロックとその解除が行われる。
また、図２に示すように、枠体２の金属上枠５１と障子３の金属上框１０１には障子３の開閉操作を補助するフリクションアーム２７が取り付けられている。
【００３６】
次に、本実施の形態による框ドア１の作用について説明する。
本実施の形態の框ドア１では、図３乃至図５に示すように、吊元側の縦框１２の屋内側端面１２２ａと縦枠７の樹脂フランジ７５との間に形成される断熱空間Ｓ１（屋内）とを気密、及び水密な状態で隔離する気密ラインＰ（図４に示す二点鎖線）を構成することができる。そして、第１気密部材４１と第２気密部材４２とによって区画された前記断熱空間Ｓ１が屋外と隔離された空気層を形成することができ、断熱性能を向上させることができる。
【００３７】
そして、本実施の形態の框ドア１では、第１気密部材４１によって吊元側の気密性を確保することができるので、第２気密部材４２に気密性をもたせる必要がない。そのため、第２気密部材４２に対向する部分で、かつ屋内に露出する部分でもある吊元側の縦框１２における樹脂縦框１２２の屋内側端面１２２ａを樹脂部材により形成して断熱ラインＱ（図４に示す二点鎖線）を構成することができるから、断熱性能を向上させることができる。
【００３８】
また、本実施の形態では、第１気密部材４１によって見込み方向Ｚの通気を遮断し、第２気密部材４２によって見付け方向Ｘへの通気を抑制することができる。つまり、障子３の吊元側の縦框１２の異なる面に対してそれぞれ通気部材４１、４２を設ける構成となるので、第１気密部材４１が当接する縦框１２の突出部１２１ｃをアルミ合金等の金属部材とし、第２気密部材４２に対向する縦框１２の屋内側端面１２２ａを樹脂部材として形成し易くなる。
【００３９】
さらに、本実施の形態では、第２気密部材４２によってこれより奥側に位置する前記断熱空間Ｓ１が屋内側に露出せずに屋内側から見て隠れた状態となることから、意匠性を向上させることができる。しかも、障子３が開いている際でも、屋内側から断熱空間Ｓ１の隙間が第２気密部材４２によって見え難くなっているので、断熱空間Ｓ１に指等を進入させにくくなる。
【００４０】
さらにまた、障子３の開閉時に吊元側の縦框１２の屋内側端面１２２ａと樹脂フランジ７５との間に人の指が進入した場合でも、第２気密部材４２が弾性変形することにより指詰めを防止することができる。このとき、第２気密部材４２の奥側に断熱空間Ｓ１が形成されているので、吊元側の縦框１２の屋内側端面１２２ａと弾性変形した第２気密部材４２との間に指が進入した状態であっても、指をその断熱空間Ｓ１に逃がすことができる。そのため、縦框１２と縦枠７との間で指が圧迫された状態で挟まれることを防止でき、挟まれた状態における指の圧迫感を低減することができる。
【００４１】
また、本実施の形態では、金属縦框１２１が樹脂フランジ７５と樹脂縦框１２２によって屋内側から覆い被せられた状態で設けられ、しかも第２気密部材４２が位置する樹脂フランジ７５と樹脂縦框１２２との双方が樹脂製の部材からなることから、断熱性能を確保することができる。
【００４２】
以上、本発明による建具の実施の形態について説明したが、本発明は上記の実施の形態に限定されるものではなく、その趣旨を逸脱しない範囲で適宜変更可能である。
【００４３】
例えば、本実施の形態では、第１気密部材４１を縦枠７の連結部７６の縦框固定面７６ａに設け、第２気密部材４２を縦枠７の樹脂フランジ７５に設けているが、この位置に限定されることはない。要は、第２気密部材が戸当り板と縦框との間の隙間で第１気密部材よりも屋内側に配置されていればよいのであって、第１気密部材が戸当り板と縦框との間に設けられていてもよい。
【００４４】
また、本実施の形態では、第１気密部材４１側に第２隙間Ｓ２を形成しているが、このような第２隙間Ｓ２が形成されない構成とすることも可能である。
【００４５】
また、本実施の形態では、第２気密部材４２の突出端４２ａと縦框１２の屋内側端面１２２ａとの間に隙間が形成されているが、このような構成に限定されることはない。例えば、第２気密部材４２にも気密性能をもたせ、障子３を閉じた状態で第２気密部材４２が縦框１２の屋内側端面１２２ａに当接するように構成してもよい。
【００４６】
さらに、縦枠７の戸当り板（樹脂フランジ７５）に対する第２気密部材４２の見付け方向Ｘの位置は、上述した実施の形態のように樹脂フランジ７５の内端部７５ａであることに限定されることはなく、内端部７５ａよりも見付け方向Ｘの外側の適宜な位置に配置してもよい。
【００４７】
また、上述した実施の形態では、障子３の上框１０、下框１１、吊元側の縦框１２を隠し框構造にしたが、これに代えて上框１０、下框１１、吊元側の縦框１２の少なくとも１つを隠し框構造にしてもよい。或いは、隠し框構造を採用しなくてもよい。
【００４８】
なお、本実施の形態では、框ドア１をアルミ合金等の金属部材と樹脂部材からなる複合建具としたが、これに代えてアルミ合金等の金属部材からなるドアや樹脂部材からなるドア等の建具にも適用することができる。
また、本発明の実施形態では勝手口ドア等のスイング式の框ドア１について説明したが、本発明はこのような框ドア１に限定されることなく、縦辷り出し窓や横辷り出し窓等の各種の建具にも適用できる。また、建具の枠体に納められる障子は扉部だけでなく窓等の各種の障子を含む。
【００４９】
また、吊元側の縦框１２が金属製の縦框本体と、この縦框本体における第２気密部材４２に対向する部分に例えば樹脂カバーを取り付けることで押縁（上記実施の形態の樹脂縦框に相当）を設けるようにしてもよい。
この場合には、縦框１２の見付け方向Ｘの寸法が小さい場合であっても、金属製の縦框本体によって障子３を支持する十分な強度が確保することができ、しかも第２気密部材４２が樹脂フランジ７５と樹脂縦框１２２に挟まれた位置に設けられるので、前記断熱空間も確保できる。
なお、上記の押縁がアルミニウムと樹脂から形成される場合には、樹脂部分が少なくとも少なくとも屋内側の面に配置されていればよい。
【００５０】
その他、本発明の趣旨を逸脱しない範囲で、上記した実施の形態における構成要素を周知の構成要素に置き換えることは適宜可能である。
【符号の説明】
【００５１】
１  框ドア（建具）
２  枠体
３  障子
５  上枠
６  下枠
７、８  縦枠
１０  上框
１１  下框
１２、１３  縦框
１５  ガラスパネル
２０  丁番
４１  第１気密部材
４２  第２気密部材
４３  第３気密部材
７１  金属縦枠
７２  樹脂縦枠
７３  支持枠部
７４  金属フランジ
７５  樹脂フランジ（戸当り板）
７５ａ  内端部
７６  連結部
７６ａ  縦框固定面
１２１  金属縦框
１２１ａ  吊元側取付面
１２１ｂ  吊元側突出端面
１２２  樹脂縦框（押縁）
１２２ａ  屋内側端面
Ｓ１  第１空間
Ｓ２  第２空間
Ｘ  見付け方向
Ｙ  上下方向
Ｚ  見込み方向
Ｐ  気密ライン
Ｑ  断熱ライン
【図１】
0006652435.tif 000002
【図２】
0006652435.tif 000003
【図３】
0006652435.tif 000004
【図４】
0006652435.tif 000005
【図５】
0006652435.tif 000006